(57)【要約】  本発明によれば、溶解後の酸化還元電位が−１０ｍＶ〜−２０００ｍＶである還元性の氷が提供される。この場合、溶解後のｐＨは９以下であることが好ましく、また、前記氷は、海水、脱イオン化海洋深層水、ミネラルウォーター、水道水、浄化水道水、井戸水、雨水、茶、コーヒー及びジュースから選択された１種からなるものとすることができる。本発明の氷は、溶解後にも非常に低い酸化還元電位を有しているので、本発明の氷を液体中に添加することにより、その液体を還元性の液体とすることもできる。【特許請求の範囲】
【請求項１】
溶解後の酸化還元電位が−１０ｍＶ〜−２０００ｍＶである還元性の氷。
【請求項２】
溶解後のｐＨが９以下であることを特徴とする請求項１に記載の還元性の氷。
【請求項３】
前記氷が、海水、脱イオン化海洋深層水、ミネラルウォーター、水道水、浄化水道水、井戸水、雨水、茶、コーヒー及びジュースから選択された１種からなることを特徴とする請求項１又は２に記載の還元性の氷。
【請求項４】
溶解後の酸化還元電位が−１０ｍＶ〜−２０００ｍＶである還元性の氷を液体中に添加することを特徴とする還元性液体の製造方法。
【請求項５】
前記還元性の氷が添加される液体が、海水、脱イオン化海洋深層水、ミネラルウォーター、水道水、浄化水道水、井戸水、雨水、茶、コーヒー及びジュースから選択された１種からなることを特徴とする請求項４に記載の還元性液体の製造方法。
【発明の詳細な説明】
【技術分野】
【０００１】
この出願の発明は、新規な還元性の氷及びこの氷を使用した還元性液体の製造方法に関する。さらに詳しくは、この出願の発明は、水素を含有する還元性の氷に関し、酸化還元電位の低い新規な還元性の氷及びこの氷を使用した還元性液体の製造方法に関する。
【背景技術】
【０００２】
従来から、アルカリイオン水が健康によいこと、活性酸素や過酸化脂質が原因となる各種病気（例えば、脳卒中、心筋梗塞、動脈硬化症、癌、高脂血症、糖尿病、肝炎、腎炎、潰瘍、胃粘膜障害、肺炎、白内障、網膜色素変形症、網膜剥離、膠原病等の自己免疫疾患、関節リウマチ、エイズ、パーキンソン病、アルツハイマー病、アトピー性皮膚炎や花粉症等のアレルギー疾患、高血圧、前立腺肥大、喘息等）や皮膚に対する美観付与や保護（例えばシミ、そばかす、しわ、にきび、湿疹等）に優れた効果があること（下記特許文献１参照）、更にはガン細胞の転移を抑制する効果もあること（下記特許文献２及び３参照）等が知られており、このアルカリイオン水を製造するためのアルカリイオン水生成器が広く普及している。【０００３】
これらの公知のアルカリイオン水は、陽極及び陰極を用いて水道水、食塩水ないしはＮａＯＨ水溶液を電気分解し、陽極側に酸性の水を、陰極側にアルカリ性の水を形成させ、このうち陰極側のアルカリ性の水を利用するものである。この陰極側のアルカリ性の水は水酸化物イオン（ＯＨ−）を多く含み、さらに水の電気分解によって発生した水素ガスが溶解しているために、還元性を示し、そのためアルカリ還元水とも称されるものである。【０００４】
このように製造されたアルカリイオン水は、酸化還元電位が低くて還元力を示すと共に通常ｐＨ９以上のアルカリ性を呈している。しかし、酸化還元電位が低く、高い還元力を有する水を得ようとすると、その分だけヒドロキシルイオン（ＯＨ−）濃度が高くなり、飲用が不適であるとされるｐＨ１０以上のアルカリ性水となってしまう。加えて、アルカリイオン水は健康によいということが知られているとはいえ、胃液は酸性であるから、ｐＨ９程度のアルカリイオン水でも、多量に日常的に飲用ないしは炊事用に使用するにはｐＨ型が高すぎるので、逆に不健康をもたらす要因となり、不適当であるという問題点が存在していた。【０００５】
一方、本願の発明者は、下記特許文献４及び５に示すように、ｐＨ値が９．０以下と中性に近いながらも酸化還元電位が低く、還元性が強い還元水の開発に成功している。この発明は、常温常圧下で、ｐＨ値が９．０以下であり、酸化還元電位が−１０ｍＶ以下−２０００ｍＶ以上である還元水に関するものである。【０００６】
【特許文献１】特開２００１−１４５８８０号公報
【特許文献２】特開２００１−１３７８５２号公報
【特許文献３】特開２００２−２５４０７８号公報
【特許文献４】特開２００４−２３０３７０号公報
【特許文献５】特開２００４−３５１３９９号公報
【発明の開示】
【発明が解決しようとする課題】
【０００７】
しかしながら、上記の還元水は、開放状態に放置すると周囲空気から酸素が溶け込むために酸化還元電位がだんだん大きくなって還元性が失われる。すなわち、下記表１に示したデータは上記特許文献４の実施例５（試料１）及び実施例６（試料２）に対応するデータであって、製造直後から２０時間まで密閉状態に維持し、その後に空気中に開放状態に維持した場合の酸化還元電位の変化を示すデータである。この表１のデータによると、製造された還元水の酸化還元電位は、密閉状態では２０時間たっても低いままであるが、その後に開放状態に保持すると酸化還元電位は徐々に上昇していくことが示されている。【０００８】
【表１】
2006082654.tif 000002
【０００９】
したがって、上記特許文献４ないし５に開示の還元性水は、密閉容器内に保存しないと長時間にわたりその物性を維持できないという問題点が存在する。本願の発明者は上記のような特許文献４ないし５に開示の還元性水の問題点を解決すべく種々検討を重ねた結果、一度上記特許文献４ないし５に開示の方法に従って還元性水を製造した後、直ちに冷却して凍らせれば、氷中への酸素の溶解速度は水中への溶解速度よりも遅いために、大気中開放状態で放置しても酸化還元電位の上昇につながらず、長時間にわたって低酸化還元電位を維持できる還元性氷が得られることと見出し、本発明を完成するに至ったのである。【００１０】
すなわち、本発明の第１の目的は、空気中開放状態で放置しても、溶けて液体にならない限り低酸化還元電位を維持できる還元性の氷を提供することにある。また、本発明の第２の目的は、この還元性の氷を用いた還元性液体の製造方法を提供することにある。
【課題を解決するための手段】
【００１１】
本発明の一態様によれば、溶解後の酸化還元電位が−１０ｍＶ〜−２０００ｍＶである還元性の氷が提供される。この還元性の氷は、溶け出さない限り、還元性を保持したままで長期間存在することができる。また、この還元性の氷は、酸化還元電位が低ければ低いほど還元性が強くなるので好ましいが、常温常圧下では溶解後の酸化還元電位が−１０００ｍＶ以下の還元性の氷は得難いため、−１００ｍＶ〜−１０００ｍＶの範囲が好ましい。この発明の還元性の氷によれば、冷却対象物の酸化を遅くさせることが可能となるとともに、還元水の運搬に際し、冷却することにより密閉容器の必要性がなくなるので、運送コストが安くなる。【００１２】
係る態様の還元性の氷においては、溶解後のｐＨが９以下であることが好ましい。溶解後のｐＨが９以下であると、何らの健康問題を引き起こすことなく、還元性の水として日常的に多量に摂取したり炊事用に使用することができるようになる。本発明によれば、溶解後のｐＨが低くなるに従って酸化還元電位の低い還元性の水が得難くなるが、ｐＨ５程度までであれば十分に酸化還元電位の低い還元性の水が得られる。したがって、現在の水道水質基準によると飲用に好ましいｐＨは５．８以上８．６以下であるとされているが、本発明では水道水質基準を見たしながらも充分に酸化還元電位の低い還元性水が得られる還元性の氷を提供することができるようになる。【００１３】
また、本発明においては、前記氷が、海水、脱イオン化海洋深層水、ミネラルウォーター、水道水、浄化水道水、井戸水、雨水、茶、コーヒー及びジュースから選択された１種からなるものとすることができる。この場合、前記氷が海水の氷であれば魚介類等の冷却対象物の冷却に用いて冷却対象物の酸化を遅くさせることが可能となり、また、その他の氷であればその氷を溶解させることにより容易にそのまま飲用できる還元性液体を得ることができる。【００１４】
さらに、本発明の別の態様によれば、溶解後の酸化還元電位が−１０ｍＶ〜−２０００ｍＶである還元性の氷を液体中に添加することを特徴とする還元性液体の製造方法が提供される。【００１５】
係る態様の発明によれば、還元性の氷は溶け出さなければ長時間にわたって還元性を維持できるし、しかも、単に還元性の氷を液体に添加することによりその液体の酸化還元電位を下げて還元性とすることができるため、必要なときに任意量の還元性液体を容易に製造できるようになる。【００１６】
係る態様においては、前記還元性の氷が添加される液体が、海水、脱イオン化海洋深層水、ミネラルウォーター、水道水、浄化水道水、井戸水、雨水、茶、コーヒー及びジュースであることが好ましい。かかる構成によれば容易に還元性の海水、脱イオン化海洋深層水、ミネラルウォーター、水道水、浄化水道水、井戸水、雨水、茶、コーヒー及びジュースを得ることができ、還元性の海水であれば魚介類等冷却対象物の冷却用として使用することができるとともに、冷却対象物の酸化を遅くさせることが可能となり、その他のものであれば飲用に最適な還元性の液体が得られる。
【発明を実施するための最良の形態】
【００１７】
以下、本発明を実施するための最良の形態を実施例により説明する。まず、上記特許文献４ないし５に記載の発明と同様にして、ｐＨ７．０、酸化還元電位−５３２ｍＶの還元水を得、この還元水を冷凍庫で密閉容器に保存し、凍らせることによって本発明の還元性氷を得た。【００１８】
次に、この還元性の氷を密閉容器から取り出し、室温を１℃となるように調整して氷が融けにくい状態となし、前記の還元水とともに並べて空気中に開放状態で放置した。そして、所定時間ごとに所定量の還元水及び還元性の氷を取り出して室温に放置して還元性の氷は溶解させ、それぞれの水温が２３℃になった際の酸化還元電位とｐＨを測定した。結果をまとめて表２に示した。なお、酸化還元電位及びｐＨの測定に関しては、ともに東亜ＤＤＫ社製のＯＲＰ計測器及びＰＨ計測器を用いた。【００１９】
【表２】
2006082654.tif 000003
【００２０】
この表２の結果から明らかなように、従来例のような還元水では大気中に開放すると酸化還元電位は徐々に上昇するが、本発明の還元性氷は大気中に放置しても融けださない限りにおいて酸化還元電位を元の電位の状態のままに保っていることは明確である。
【国際調査報告】
2006082654.tif 000004
2006082654.tif 000005